(57)【要約】【課題】放電灯を駆動する駆動装置の寿命を管理することができる技術を提供する。【解決手段】駆動装置６００は、放電灯５００を始動させる始動パルスを印加するイグナイター７５０と、データを記憶する不揮発性メモリー７８８と、イグナイター７５０が始動パルスを印加した稼動履歴を、不揮発性メモリー７８８に記録する履歴記録部８２０とを備える。【選択図】図３
2010192150.tif 000002
【特許請求の範囲】
【請求項１】
放電灯を駆動する駆動装置であって、
前記放電灯を始動させる始動パルスを印加する始動回路と、
データを記憶する不揮発性メモリーと、
前記始動回路が前記始動パルスを印加した稼動履歴を、前記不揮発性メモリーに記録する履歴記録部と
を備える駆動装置。
【請求項２】
更に、前記不揮発性メモリーに記録された稼動履歴に基づいて、前記始動回路による前記始動パルスの印加を抑制する始動抑制部を備える請求項１に記載の駆動装置。
【請求項３】
請求項２に記載の駆動装置であって、
更に、前記始動回路を制御して前記始動パルスを連続的に発生させる始動制御処理を実行する始動制御部を備え、
前記履歴記録部は、前記始動制御処理を実行した回数である始動実行回数を、前記稼動履歴として前記不揮発性メモリーに記録し、
前記始動抑制部は、前記不揮発性メモリーに記録された始動実行回数を積算した積算回数が基準閾値を越えた場合、前記始動回路による前記始動パルスの印加を抑制する、駆動装置。
【請求項４】
請求項２に記載の駆動装置であって、
前記履歴記録部は、前記始動パルスを発生させた回数であるパルス発生回数を、前記稼動履歴として前記不揮発性メモリーに記録し、
前記始動抑制部は、前記不揮発性メモリーに記録されたパルス発生回数を積算した積算回数が基準閾値を越えた場合、前記始動回路による前記始動パルスの印加を抑制する、駆動装置。
【請求項５】
前記始動抑制部は、前記駆動装置に電源が投入された後、前記始動回路が前記始動処理を実行する前に、前記不揮発性メモリーに記録された稼動履歴に基づいて、前記始動回路による前記始動パルスの印加を抑制する請求項２ないし請求項４のいずれかに記載の駆動装置。
【請求項６】
前記不揮発性メモリーは、前記始動回路を構成する電子部品と共に同じプリント基板に実装された電子部品である請求項１ないし請求項５のいずれかに記載の駆動装置。
【請求項７】
更に、前記不揮発性メモリーに記録された稼動履歴に基づく情報を、前記駆動装置の外部に出力する情報出力部を備える請求項１ないし請求項６のいずれかに記載の駆動装置。
【請求項８】
光を放出する光源装置であって、
電極間の放電によって発光する放電灯と、
前記放電灯を始動させる始動パルスを印加する始動回路と、
データを記憶する不揮発性メモリーと、
前記始動回路が前記始動パルスを印加した稼動履歴を、前記不揮発性メモリーに記録する履歴記録部と
を備える光源装置。
【請求項９】
映像を投影するプロジェクターであって、
前記映像を表現する投影光の光源として、電極間の放電によって発光する放電灯と、
前記放電灯を始動させる始動パルスを印加する始動回路と、
データを記憶する不揮発性メモリーと、
前記始動回路が前記始動パルスを印加した稼動履歴を、前記不揮発性メモリーに記録する履歴記録部と
を備えるプロジェクター。
【請求項１０】
前記放電灯を始動させる始動パルスを印加する始動回路を備える駆動装置を用いて、前記放電灯を駆動する駆動方法であって、
前記駆動装置が備えるコンピューターが、前記始動回路が前記始動パルスを印加した稼動履歴を、前記駆動装置が備える不揮発性メモリーに記録する、駆動方法。
【発明の詳細な説明】
【技術分野】
【０００１】
本発明は、放電灯を駆動する技術に関する。
【背景技術】
【０００２】
プロジェクター（投影装置）の光源に利用される放電灯には、高圧水銀ランプ、メタルハライドランプ、高圧ナトリウムランプなどの高輝度放電ランプ（ＨＩＤランプ［High Intensity Discharge Lamp］）が知られている。一般的に、プロジェクターにおける放電灯は、交番電流（交流）の供給を受けて、二つの電極間にアーク放電による放電光を発生させることによって発光する。
【０００３】
放電灯を駆動する駆動装置は、放電灯を始動させるために放電灯の電極に始動パルスを印加する始動回路（イグナイター）を備え、一般的に、始動パルスは、５〜１２キロボルト（ｋＶ）程度の比較的に高い電圧に達する。特許文献１には、始動パルスを印加する始動回路を備える放電灯の駆動装置が記載されている。
【先行技術文献】
【特許文献】
【０００４】
【特許文献１】特開２００１−２５７０９１号公報
【発明の概要】
【発明が解決しようとする課題】
【０００５】
駆動装置において始動パルスを繰り返し発生させると、駆動装置を構成する電気回路では絶縁劣化が徐々に進行してしまうが、従来、始動パルスに起因する絶縁劣化に伴う駆動装置の故障について十分な検討がなされていなかった。絶縁劣化に伴う駆動装置の故障は、放電灯を正常に駆動することができなくなり、放電灯の性能を十分に発揮させることができなくなってしまう。
【０００６】
本発明は、上記した課題を踏まえ、放電灯を駆動する駆動装置の寿命を管理することができる技術を提供することを目的とする。
【課題を解決するための手段】
【０００７】
本発明は、上述の課題の少なくとも一部を解決するためになされたものであり、以下の形態または適用例として実現することが可能である。
【０００８】
［適用例１］  適用例１の駆動装置は、放電灯を駆動する駆動装置であって、前記放電灯を始動させる始動パルスを印加する始動回路と、データを記憶する不揮発メモリーと、前記始動回路が前記始動パルスを印加した稼動履歴を、前記不揮発性メモリーに記録する履歴記録部とを備えることを特徴とする。適用例１の駆動装置によれば、不揮発性メモリーに記憶された稼動履歴に基づいて、駆動装置の寿命を管理することができる。
【０００９】
［適用例２］  適用例１の駆動装置は、更に、前記不揮発性メモリーに記録された稼動履歴に基づいて、前記始動回路による前記始動パルスの印加を抑制する始動抑制部を備えても良い。適用例２の駆動装置によれば、不揮発性メモリーに記憶された稼動履歴に基づいて始動パルスの印加が抑制されるため、想定寿命を超えた駆動装置による放電灯の駆動を防止することができる。
【００１０】
［適用例３］  適用例２の駆動装置において、更に、前記始動回路を制御して前記始動パルスを連続的に発生させる始動制御処理を実行する始動制御部を備え、前記履歴記録部は、前記始動制御処理を実行した回数である始動実行回数を、前記稼動履歴として前記不揮発性メモリーに記録し、前記始動抑制部は、前記不揮発性メモリーに記録された始動実行回数を積算した積算回数が基準閾値を越えた場合、前記始動回路による前記始動パルスの印加を抑制するとしても良い。適用例３の駆動装置によれば、始動制御処理の始動実行回数が稼動履歴として不揮発性メモリーに記憶されるため、発生させた個々の始動パルスについての情報を記憶するよりも、不揮発性メモリーにおける稼動履歴の管理を簡素化することができる。
【００１１】
［適用例４］  適用例２の駆動装置において、前記履歴記録部は、前記始動パルスを発生させた回数であるパルス発生回数を、前記稼動履歴として前記不揮発性メモリーに記録し、前記始動抑制部は、前記不揮発性メモリーに記録されたパルス発生回数を積算した積算回数が基準閾値を越えた場合、前記始動回路による前記始動パルスの印加を抑制するとしても良い。適用例４の駆動装置によれば、絶縁劣化の要因である始動パルスのパルス発生回数が稼動履歴として管理されるため、駆動装置における絶縁劣化の進行具合をより正確に判断することができる。
【００１２】
［適用例５］  適用例２ないし適用例４のいずれかの駆動装置において、前記始動抑制部は、前記駆動装置に電源が投入された後、前記始動回路が前記始動処理を実行する前に、前記不揮発性メモリーに記録された稼動履歴に基づいて、前記始動回路による前記始動パルスの印加を抑制しても良い。適用例５の駆動装置によれば、想定寿命を超えた駆動装置による始動パルスの発生を事前に回避することができる。
【００１３】
［適用例６］  適用例１ないし適用例５のいずれかの駆動装置であって、前記不揮発性メモリーは、前記始動回路を構成する電子部品と共に同じプリント基板に実装された電子部品であっても良い。適用例６の駆動装置によれば、始動パルスによる絶縁劣化の影響を受けるプリント基板ごとに駆動装置の寿命を管理することができる。
【００１４】
［適用例７］  適用例１ないし適用例６のいずれかの駆動装置は、更に、前記不揮発性メモリーに記録された稼動履歴に基づく情報を、前記駆動装置の外部に出力する情報出力部を備えても良い。適用例７の駆動装置によれば、不揮発性メモリーに記憶された稼動履歴に基づいて、駆動装置の外部で駆動装置の寿命を管理することができる。
【００１５】
［適用例８］  適用例８の光源装置は、光を放出する光源装置であって、電極間の放電によって発光する放電灯と、前記放電灯を始動させる始動パルスを印加する始動回路と、データを記憶する不揮発性メモリーと、前記始動回路が前記始動パルスを印加した稼動履歴を、前記不揮発性メモリーに記録する履歴記録部とを備えることを特徴とする。適用例８の光源装置によれば、不揮発性メモリーに記憶された稼動履歴に基づいて、光源装置を保守管理することができる。
【００１６】
［適用例９］  適用例９のプロジェクターは、映像を投影するプロジェクターであって、前記映像を表現する投影光の光源として、電極間の放電によって発光する放電灯と、前記放電灯を始動させる始動パルスを印加する始動回路と、データを記憶する不揮発性メモリーと、前記始動回路が前記始動パルスを印加した稼動履歴を、前記不揮発性メモリーに記録する履歴記録部とを備えることを特徴とする。適用例９のプロジェクターによれば、不揮発性メモリーに記憶された稼動履歴に基づいて、プロジェクターを保守管理することができる。
【００１７】
［適用例１０］  適用例１０の駆動方法は、前記放電灯を始動させる始動パルスを印加する始動回路を備える駆動装置を用いて、前記放電灯を駆動する駆動方法であって、前記駆動装置が備えるコンピューターが、前記始動回路が前記始動パルスを印加した稼動履歴を、前記駆動装置が備える不揮発性メモリーに記録することを特徴とする。適用例１０の駆動方法によれば、不揮発性メモリーに記憶された稼動履歴に基づいて、駆動装置の寿命を管理することができる。
【００１８】
本発明の形態は、駆動装置、光源装置、プロジェクター、駆動方法に限るものではなく、例えば、プロジェクターを備えるシステム、放電灯を駆動する機能をコンピューターに実現させるためのプログラムなどの他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１９】
【図１】プロジェクターの構成を主に示す説明図である。
【図２】プロジェクターにおける光源装置の詳細構成を示す説明図である。
【図３】光源装置における駆動装置の詳細構成を主に示す説明図である。
【図４】バラストユニットの外観構成を示す斜視図である。
【図５】駆動装置のバラスト制御部が実行する点灯処理を示すフローチャートである。
【図６】第１変形例における駆動装置のバラスト制御部が実行する点灯処理を示すフローチャートである。
【発明を実施するための形態】
【００２０】
以上説明した本発明の構成および作用を一層明らかにするために、以下本発明を適用した投影装置であるプロジェクターについて説明する。
【００２１】
Ａ．実施例：
Ａ１．プロジェクターの構成：
図１は、プロジェクター１０の構成を主に示す説明図である。プロジェクター１０は、映像をスクリーン８０に投影する。スクリーン８０は、映像が表示される平面であり、映写幕であっても良いし、壁面であっても良い。
【００２２】
プロジェクター１０は、光源装置２０と、投影光学系３０と、投射光学系４０とを備える。プロジェクター１０の光源装置２０は、光源として光を放出し、光源装置２０から放出された光は、投影光学系３０に供給される。光源装置２０の詳細については後述する。
【００２３】
プロジェクター１０の投影光学系３０は、光源装置２０から供給される光から、映像を表現する投影光を生成する。投影光学系３０によって生成された投影光は、投射光学系４０に送出される。本実施例では、投影光学系３０は、色分離合成光学系であり、光源装置２０から供給された光を、赤色光，緑色光，青色光に分離し、三つの空間光変調器でそれぞれ変調した後、これらの光を再び一つの光に合成することによって投影光を生成する。本実施例では、空間光変調器の数は三つであるが、他の実施形態において、三つ以下であっても良いし、三つ以上であっても良い。本実施例では、空間光変調器は、透過光を変調させる透過型液晶パネルであるが、他の実施形態において、反射光を変調させる反射型液晶パネルを用いても良いし、デジタル・マイクロ・ミラーデバイス（Digital Micromirror Device、ＤＭＤ（登録商標））を始めとするマイクロミラー型光変調装置を用いても良い。
【００２４】
プロジェクター１０の投射光学系４０は、投影光学系３０で生成された投影光をスクリーン８０に投射する。本実施例では、投射光学系４０は、フロントレンズ，ズームレンズ，マスタレンズ，フォーカスレンズなどの複数のレンズを配列した投射レンズユニットである。なお、投射光学系４０は、投射レンズユニットに限るものではなく、非球面レンズ，拡大レンズ，拡散ガラス，非球面ミラー，反射ミラーの少なくとも一つを用いて、投影光学系３０で生成された投影光をスクリーン８０へ反射させる光学系であっても良い。
【００２５】
Ａ２．光源装置の詳細構成：
図２は、プロジェクター１０における光源装置２０の詳細構成を示す説明図である。光源装置２０は、光源ユニット２１０と、駆動装置６００とを備える。光源装置２０の光源ユニット２１０は、主反射鏡２１２と、副反射鏡２１４と、放電灯５００とを備える。光源装置２０の駆動装置６００は、放電灯５００を駆動する。駆動装置６００の詳細については後述する。
【００２６】
光源ユニット２１０の放電灯５００は、発光管５１０と、電極５２０ａ，５２０ｂと、導電部材５３０ａ，５３０ｂと、電極端子５４０ａ，５４０ｂとを備える。放電灯５００は、駆動装置６００によって駆動され、第１の電極である電極５２０ｂと、第２の電極である電極５２０ａとの間に発生するアーク放電によって発光する。
【００２７】
放電灯５００の発光管５１０は、透光性を有し中央部が球状に膨出した石英ガラス管であり、発光管５１０の中央部には、希ガス，水銀，金属ハロゲン化合物などの放電媒体を含むガスが封入される放電空間部５１２が形成されている。
【００２８】
放電灯５００の電極５２０ａ，５２０ｂは、発光管５１０の放電空間部５１２に離間して配置され、発光管５１０の放電空間部５１２の内部にアーク放電を発生させる。本実施例では、電極５２０ａ，５２０ｂは、タングステン製である。
【００２９】
放電灯５００の導電部材５３０ａは、電極５２０ａと電極端子５４０ａとを電気的に接続する導電体であり、放電灯５００の導電部材５３０ｂは、電極５２０ｂと電極端子５４０ｂとを電気的に接続する導電体である。本実施例では、導電部材５３０ａ，５３０ｂは、モリブデン箔であり、発光管５１０に封止されている。
【００３０】
放電灯５００の電極端子５４０ａ，５４０ｂは、駆動装置６００から供給される交番電流を電極５２０ａ，５２０ｂに導入する導電体であり、発光管５１０の両端部にそれぞれ設けられている。
【００３１】
光源ユニット２１０の主反射鏡２１２は、凹面状の反射面を有する。主反射鏡２１２は、放電灯５００における電極５２０ａ側の端部に設けられ、放電灯５００から発生された放電光を反射対象物である投影光学系３０へと反射させる。本実施例では、主反射鏡２１２の反射面は、回転楕円形であるが、他の実施形態において、回転放物形であっても良い。本実施例では、主反射鏡２１２は、石英ガラス製であるが、他の実施形態において、結晶化ガラス製であっても良い。
【００３２】
光源ユニット２１０の副反射鏡２１４は、主反射鏡２１２よりも小さな半球状の反射面を有する。副反射鏡２１４は、放電灯５００における放電空間部５１２が形成された中央部の電極５２０ｂ側に設けられ、放電灯５００で発生した放電光のうち電極５２０ｂ側に放出された放電光を主反射鏡２１２へと反射させる。本実施例では、副反射鏡２１４は、石英ガラス製であるが、他の実施形態において、結晶化ガラス製であっても良い。
【００３３】
Ａ３．駆動装置の詳細構成：
図３は、光源装置２０における駆動装置６００の詳細構成を主に示す説明図である。駆動装置６００は、駆動制御部６１０と、バラストユニット６２０とを備える。
【００３４】
駆動装置６００の駆動制御部６１０は、バラストユニット６２０の動作を制御する電気回路である。本実施例では、駆動制御部６１０は、ＣＰＵ（Central Processing Unit、セントラルプロセッシングユニット）を備えるコンピューターであり、駆動制御部６１０によって実行される種々の処理は、プログラムに基づいてＣＰＵが動作することによって実現されるが、他の実施形態において、駆動制御部６１０の電子回路がその物理的な回路構成に基づいて動作することによって実現されるとしても良い。
【００３５】
駆動装置６００のバラストユニット６２０は、放電灯５００を始動させると共に放電灯５００の点灯を維持する安定器である。バラストユニット６２０は、電源入力部７１０と、ノイズフィルター７２０と、ダウンコンバーター７３０と、インバーターブリッジ７４０と、イグナイター７５０と、ランプ接続部７６０と、パルス幅変調制御部７７０と、バラスト制御部７８０と、制御接続部７９０とを備える。
【００３６】
図４は、バラストユニット６２０の外観構成を示す斜視図である。バラストユニット６２０は、種々の電子部品が実装されたプリント基板６２２と、プリント基板６２２に実装された電子部品で発生した熱を放熱する放熱器６２４とを備える。バラストユニット６２０のプリント基板６２２に実装された電子部品は、電源コード７１２と、インダクター７３２と、パワーＭＯＳＦＥＴ（Metal Oxide Semiconductor Field Effect Transistor、ＭＯＳ型電解効果トランジスター）７３４と、パワーダイオード７３６と、パワーＭＯＳＦＥＴ７４１，７４２，７４３，７４４と、イグナイター回路７５２と、イグナイタートランス７５４と、ランプコネクター７６８と、ＰＷＭ（Pulse Width Modulation、パルス幅変調）チップ７７２，７７３と、ＭＣＵ（（Micro Control Unit, マイクロコントロールユニット）７８２と、制御信号コネクター７９２と、フォトカプラー７９４とを含む。バラストユニット６２０の放熱器６２４は、パワーＭＯＳＦＥＴ７３４、パワーダイオード７３６、パワーＭＯＳＦＥＴ７４１，７４２，７４３，７４４の各電子部品で発生した熱を放熱する。
【００３７】
図３の説明に戻り、バラストユニット６２０の電源入力部７１０は、電源コード７１２を含む電気回路であり、バラストユニット６２０の外部から供給される電源入力を受け付ける。本実施例では、電源入力部７１０は、放電灯５００の駆動に用いられる電源入力として３８０ボルトの直流電力を受け付けると共に、パルス幅変調制御部７７０およびバラスト制御部７８０の駆動に用いられる電源入力として１８ボルトの直流電力を受け付ける。
【００３８】
バラストユニット６２０のノイズフィルター７２０は、ダウンコンバーター７３０からバラストユニット６２０の外部へ放出されるノイズ（Electro-Magnetic Interference、ＥＭＩ）を抑制するＥＭＩフィルターである。
【００３９】
バラストユニット６２０のダウンコンバーター７３０は、インダクター７３２と、パワーＭＯＳＦＥＴ７３４と、パワーダイオード７３６とを含む電気回路であり、電源入力部７１０から入力された直流電力を降圧して、インバーターブリッジ７４０に供給される電力を調整する。バラストユニット６２０のパルス幅変調制御部７７０は、ＰＷＭチップ７７２，７７３を含む電気回路であり、バラスト制御部７８０の指示に基づいて、パルス幅変調によってダウンコンバーター７３０を制御する。
【００４０】
バラストユニット６２０のインバーターブリッジ７４０は、パワーＭＯＳＦＥＴ７４１，７４２，７４３，７４４を含む電気回路であり、ダウンコンバーター７３０で調整された直流電力から交流電力を生成する。バラストユニット６２０のイグナイター７５０は、イグナイター回路７５２と、イグナイタートランス７５４とを含む始動回路であり、放電灯５００を始動させる始動パルスを印加する。バラストユニット６２０のランプ接続部７６０は、ランプコネクター７６８を含む電気回路であり、イグナイター７５０によって印加された始動パルスを放電灯５００に伝送すると共に、インバーターブリッジ７４０によって生成された交流電力を放電灯５００に伝送する。
【００４１】
バラストユニット６２０の制御接続部７９０は、制御信号コネクター７９２と、フォトカプラー７９４とを含む電気回路であり、バラスト制御部７８０と駆動制御部６１０との間でやり取りされるデータを中継する。
【００４２】
バラストユニット６２０のバラスト制御部７８０は、ＭＣＵ７８２を含む電子回路であり、駆動制御部６１０の指示に基づいて、パルス幅変調制御部７７０、インバーターブリッジ７４０、イグナイター７５０の各部を制御する。バラスト制御部７８０は、不揮発性メモリー７８８と、始動制御部８１０と、履歴記録部８２０と、始動抑制部８３０と、情報出力部８４０とを備える。
【００４３】
バラスト制御部７８０の不揮発性メモリー７８８は、データを書き込み可能に記憶し、電源を供給しなくとも一旦記憶したデータを保持する記憶装置である。本実施例では、不揮発性メモリー７８８は、データを書き換え可能に記憶するフラッシュメモリーであり、ＭＣＵ７８２に内蔵されている。
【００４４】
バラスト制御部７８０の始動制御部８１０は、イグナイター７５０を制御して始動パルスを連続的に発生させる始動制御処理を実行する。なお、始動制御処理の詳細は後述する。
【００４５】
バラスト制御部７８０の履歴記録部８２０は、イグナイター７５０が始動パルスを印加した稼動履歴を不揮発性メモリー７８８に記録する。本実施例では、履歴記録部８２０は、始動制御部８１０が始動制御処理を実行した回数である始動実行回数を、イグナイター７５０が始動パルスを印加した稼動履歴として不揮発性メモリー７８８に記録する。
【００４６】
バラスト制御部７８０の始動抑制部８３０は、不揮発性メモリー７８８に記録された稼動履歴に基づいて、イグナイター７５０による始動パルスの印加を抑制する。バラスト制御部７８０の情報出力部８４０は、制御接続部７９０を介して駆動制御部６１０に種々の情報を出力する。
【００４７】
本実施例では、バラスト制御部７８０における始動制御部８１０、履歴記録部８２０、始動抑制部８３０、情報出力部８４０の各機能は、ＭＣＵ７８２がプログラムに基づいて動作することによって実現されるが、他の実施形態において、バラスト制御部７８０の電子回路がその物理的な回路構成に基づいて動作することによって実現されるとしても良い。
【００４８】
Ａ４．プロジェクターの動作：
図５は、駆動装置６００のバラスト制御部７８０が実行する点灯処理（ステップＳ１０）を示すフローチャートである。点灯処理（ステップＳ１０）は、駆動制御部６１０からの点灯要求に基づいて、放電灯５００を始動させると共に放電灯５００の点灯を維持する処理である。本実施例では、駆動装置６００に電源が投入されると、バラスト制御部７８０は、点灯処理（ステップＳ１０）を開始する。
【００４９】
バラスト制御部７８０は、点灯処理（ステップＳ１０）を開始すると、駆動制御部６１０からの点灯要求を受信するまで待機する（ステップＳ１００）。本実施例では、放電灯５００の点灯中には、駆動制御部６１０からバラスト制御部７８０に対して点灯要求が継続して出力される。
【００５０】
駆動制御部６１０からの点灯要求を受信すると（ステップＳ１００：「ＹＥＳ」）、バラスト制御部７８０は、始動抑制部８３０として動作することによって始動抑制処理（ステップＳ２００）を実行する。始動抑制処理（ステップＳ２００）は、不揮発性メモリー７８８に記録された稼動履歴に基づいて、イグナイター７５０による始動パルスの印加を抑制する処理である。
【００５１】
始動抑制処理（ステップＳ２００）において、バラスト制御部７８０は、後述する始動制御処理（ステップＳ４００）を実行した累積回数を示す始動実行回数Ｎｓを、イグナイター７５０が始動パルスを印加した稼動履歴として不揮発性メモリー７８８から読み出す（ステップＳ２０２）。その後、バラスト制御部７８０は、不揮発性メモリー７８８から読み出した始動実行回数Ｎｓが閾値Ｔｈ１以下であるか否かを判断する（ステップＳ２０４）。本実施例では、閾値Ｔｈ１は、百万回に設定されているが、バラストユニット６２０の仕様、放電灯５００の使用状況など種々の要因に応じて任意の値に変更しても良い。
【００５２】
不揮発性メモリー７８８から読み出した始動実行回数Ｎｓが閾値Ｔｈ１を越える場合（ステップＳ２０４：「ＮＯ」）、バラスト制御部７８０は、点灯処理（ステップＳ１０）を終了する。これによって、イグナイター７５０による始動パルスの印加が抑制される。
【００５３】
一方、不揮発性メモリー７８８から読み出した始動実行回数Ｎｓが閾値Ｔｈ１以下である場合（ステップＳ２０４：「ＹＥＳ」）、バラスト制御部７８０は、始動抑制処理（ステップＳ２００）を終えて放電灯５００を点灯させる処理へと進み、本実施例では、履歴記録部８２０として動作することによって履歴記録処理（ステップＳ３００）を実行する。履歴記録処理（ステップＳ３００）は、イグナイター７５０が始動パルスを印加した稼動履歴を不揮発性メモリー７８８に記録する処理である。履歴記録処理（ステップＳ３００）において、バラスト制御部７８０は、不揮発性メモリー７８８から読み出した始動実行回数Ｎｓに「１」を加算し（ステップＳ３０２）、加算した始動実行回数Ｎｓを不揮発性メモリー７８８に記録する（ステップＳ３０４）。
【００５４】
履歴記録処理（ステップＳ３００）の後、バラスト制御部７８０は、始動制御部８１０として動作することによって始動制御処理（ステップＳ４００）を実行する。始動制御処理（ステップＳ４００）は、イグナイター７５０を制御して始動パルスを連続的に発生させる処理である。
【００５５】
始動制御処理（ステップＳ４００）において、バラスト制御部７８０は、イグナイター７５０のイグナイター回路７５２に電荷を蓄積させた後、イグナイター回路７５２に蓄積された電荷をイグナイタートランス７５４に放電することによって、始動パルスを発生させる。本実施例では、バラスト制御部７８０は、ダウンコンバーター７３０から入力電圧と略同じ３８０ボルトの直流電力が出力されている状態で、インバーターブリッジ７４０を約４０ヘルツ（Ｈｚ）の速度で反転駆動させることによって、約４０Ｈｚの周期で始動パルスを連続的に発生させる動作を約２秒間実施する。すなわち、始動制御部８１０は、約２秒間に約８０回の始動パルスを連続的に発生させる一連のシーケンス制御で始動制御処理（ステップＳ４００）を実行する。
【００５６】
始動制御処理（ステップＳ４００）において放電灯５００が始動しない場合（ステップＳ５００：「ＮＯ」）、バラスト制御部７８０は、始動抑制処理（ステップＳ２００）からの処理を繰り返し実行する。本実施例では、バラスト制御部７８０は、先の始動制御処理（ステップＳ４００）から約３０秒後に、後続の始動制御処理（ステップＳ４００）を実行する。
【００５７】
一方、始動制御処理（ステップＳ４００）において放電灯５００が始動した場合（ステップＳ５００：「ＹＥＳ」）、駆動制御部６１０からの点灯要求が継続して出力されている間（ステップＳ７００：「ＹＥＳ」）、バラスト制御部７８０は、放電灯５００を継続して点灯させる点灯継続処理（ステップＳ６００）を実行する。駆動制御部６１０からの点灯要求が途絶えた場合（ステップＳ７００：「ＮＯ」）、バラスト制御部７８０は、点灯継続処理（ステップＳ６００）を終了して、放電灯５００を消灯させる消灯処理（ステップＳ８００）を実行した後、点灯処理（ステップＳ１０）を終了する。
【００５８】
Ａ５．効果：
以上説明した駆動装置６００によれば、不揮発性メモリー７８８に記憶されたイグナイター７５０の稼動履歴を表す始動実行回数Ｎｓに基づいて、駆動装置６００の寿命を管理することができる。また、不揮発性メモリー７８８に記憶された始動実行回数Ｎｓに基づいて、イグナイター７５０による始動パルスの印加が抑制されるため（ステップＳ２０４）、想定寿命を超えた駆動装置６００による放電灯５００の駆動を防止することができる。また、始動制御処理（ステップＳ４００）の始動実行回数Ｎｓが稼動履歴として不揮発性メモリー７８８に記憶されるため、発生させた個々の始動パルスについての情報を記憶するよりも、不揮発性メモリー７８８における稼動履歴の管理を簡素化することができる。また、始動抑制処理（ステップＳ２００）が始動制御処理（ステップＳ４００）に先立って実行されるため、想定寿命を超えた駆動装置６００による始動パルスの発生を事前に回避することができる。また、不揮発性メモリー７８８は、イグナイター７５０を構成するイグナイター回路７５２およびイグナイタートランス７５４と共に同じプリント基板６２２に実装された電子部品であるため、始動パルスによる絶縁劣化の影響を受けるプリント基板６２２ごとに駆動装置６００の寿命を管理することができる。
【００５９】
Ｂ．第１変形例：
第１変形例の駆動装置６００は、始動パルスを発生させた回数を稼動履歴として不揮発性メモリー７８８に記録する点以外は、前述した実施例と同様である。
【００６０】
図６は、第１変形例における駆動装置６００のバラスト制御部７８０が実行する点灯処理（ステップＳ１１）を示すフローチャートである。点灯処理（ステップＳ１１）は、駆動制御部６１０からの点灯要求に基づいて、放電灯５００を始動させると共に放電灯５００の点灯を維持する処理である。本実施例では、駆動装置６００に電源が投入されると、バラスト制御部７８０は、点灯処理（ステップＳ１１）を開始する。
【００６１】
駆動制御部６１０からの点灯要求を受信すると（ステップＳ１００：「ＹＥＳ」）、バラスト制御部７８０は、始動抑制部８３０として動作することによって始動抑制処理（ステップＳ２１０）を実行する。始動抑制処理（ステップＳ２１０）は、不揮発性メモリー７８８に記録された稼動履歴に基づいて、イグナイター７５０による始動パルスの印加を抑制する処理である。
【００６２】
始動抑制処理（ステップＳ２１０）において、バラスト制御部７８０は、後述の始動制御処理（ステップＳ４００）において始動パルスが発生した累積回数を示すパルス発生回数Ｎｐを、イグナイター７５０が始動パルスを印加した稼動履歴として不揮発性メモリー７８８から読み出す（ステップＳ２１２）。その後、バラスト制御部７８０は、不揮発性メモリー７８８から読み出したパルス発生回数Ｎｐが閾値Ｔｈ２以下であるか否かを判断する（ステップＳ２１４）。本実施例では、閾値Ｔｈ２は、一千万回に設定されているが、バラストユニット６２０の仕様、放電灯５００の使用状況など種々の要因に応じて任意の値に変更しても良い。
【００６３】
不揮発性メモリー７８８から読み出したパルス発生回数Ｎｐが閾値Ｔｈ２を越える場合（ステップＳ２１４：「ＮＯ」）、バラスト制御部７８０は、点灯処理（ステップＳ１１）を終了する。これによって、イグナイター７５０による始動パルスの印加が抑制される。
【００６４】
一方、不揮発性メモリー７８８から読み出したパルス発生回数Ｎｐが閾値Ｔｈ２以下である場合（ステップＳ２１４：「ＹＥＳ」）、バラスト制御部７８０は、始動抑制処理（ステップＳ２１０）を終えて、始動制御処理（ステップＳ４００）を実行する。第１変形例における始動制御処理（ステップＳ４００）は、前述の実施例と同様である。
【００６５】
始動制御処理（ステップＳ４００）の後、バラスト制御部７８０は、履歴記録部８２０として動作することによって履歴記録処理（ステップＳ３１０）を実行する。履歴記録処理（ステップＳ３１０）は、イグナイター７５０が始動パルスを印加した稼動履歴を不揮発性メモリー７８８に記録する処理である。履歴記録処理（ステップＳ３１０）において、バラスト制御部７８０は、不揮発性メモリー７８８から読み出したパルス発生回数Ｎｐに、直前の始動制御処理（ステップＳ４００）において発生した始動パルスの回数を加算し（ステップＳ３１２）、加算したパルス発生回数Ｎｐを不揮発性メモリー７８８に記録する（ステップＳ３１４）。
【００６６】
履歴記録処理（ステップＳ３１０）の後、始動制御処理（ステップＳ４００）において放電灯５００が始動しない場合（ステップＳ５００：「ＮＯ」）、バラスト制御部７８０は、始動抑制処理（ステップＳ２１０）からの処理を繰り返し実行する。
【００６７】
一方、履歴記録処理（ステップＳ３１０）の後、始動制御処理（ステップＳ４００）において放電灯５００が始動した場合（ステップＳ５００：「ＹＥＳ」）、バラスト制御部７８０は、前述の実施例と同様に、点灯継続処理（ステップＳ６００）を実行する。
【００６８】
以上説明した駆動装置６００によれば、不揮発性メモリー７８８に記憶されたイグナイター７５０の稼動履歴を表すパルス発生回数Ｎｐに基づいて、駆動装置６００の寿命を管理することができる。また、不揮発性メモリー７８８に記憶されたパルス発生回数Ｎｐに基づいて、イグナイター７５０による始動パルスの印加が抑制されるため（ステップＳ２１４）、想定寿命を超えた駆動装置６００による放電灯５００の駆動を防止することができる。また、絶縁劣化の要因である始動パスルのパルス発生回数Ｎｐが稼動履歴として管理されるため、駆動装置６００における絶縁劣化の進行具合をより正確に判断することができる。また、始動抑制処理（ステップＳ２１０）が始動制御処理（ステップＳ４００）に先立って実行されるため、想定寿命を超えた駆動装置６００による始動パルスの発生を事前に回避することができる。
【００６９】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００７０】
例えば、バラスト制御部７８０は、情報出力部８４０として動作することによって、始動実行回数Ｎｓやパルス発生回数Ｎｐを始めとする不揮発性メモリー７８８に記録された稼動履歴に基づく情報を、制御接続部７９０を介して駆動装置６００の外部に出力しても良い。この場合、光源装置２０やプロジェクター１０に設けられたディスプレイやランプ（図示しない）で、駆動装置６００の外部に出力された情報に基づいて使用可否の表示や寿命の表示を実行しても良い。上述の実施形態によれば、不揮発性メモリー７８８に記憶された稼動履歴に基づいて、駆動装置６００の外部で駆動装置６００の寿命を管理することができる。
【符号の説明】
【００７１】
１０…プロジェクター
２０…光源装置
３０…投影光学系
４０…投射光学系
８０…スクリーン
２１０…光源ユニット
２１２…主反射鏡
２１４…副反射鏡
５００…放電灯
５１０…発光管
５１２…放電空間部
５２０ａ，５２０ｂ…電極
５３０ａ，５３０ｂ…導電部材
５４０ａ，５４０ｂ…電極端子
６００…駆動装置
６１０…駆動制御部
６２０…バラストユニット
６２２…プリント基板
６２４…放熱器
７１０…電源入力部
７１２…電源コード
７２０…ノイズフィルター
７３０…ダウンコンバーター
７３２…インダクター
７３４…パワーＭＯＳＦＥＴ
７３６…パワーダイオード
７４０…インバーターブリッジ
７４１，７４２，７４３，７４４…パワーＭＯＳＦＥＴ
７５０…イグナイター
７５２…イグナイター回路
７５４…イグナイタートランス
７６０…ランプ接続部
７６８…ランプコネクター
７７０…パルス幅変調制御部
７７２，７７３…ＰＷＭチップ
７８０…バラスト制御部
７８２…ＭＣＵ
７８８…不揮発性メモリー
７９０…制御接続部
７９２…制御信号コネクター
７９４…フォトカプラー
８１０…始動制御部
８２０…履歴記録部
８３０…始動抑制部
８４０…情報出力部
【図１】
2010192150.tif 000003
【図２】
2010192150.tif 000004
【図３】
2010192150.tif 000005
【図４】
2010192150.tif 000006
【図５】
2010192150.tif 000007
【図６】
2010192150.tif 000008